(57)【特許請求の範囲】
【請求項１】
画像を表示可能な表示パネルと該表示パネルにおける画像の表示領域を外囲する額縁とを備える複数の画像表示装置を平面的に並べて構築されるマルチディスプレイ装置の前記額縁上に設置される額縁被覆部材であって、
透光性を有する棒状部材と、
前記棒状部材に設けられ、表示領域からの出射光を拡散透過および拡散反射する光拡散部とを含み、
前記棒状部材は、長手方向に沿って延び、前記額縁に臨んで配置される設置面と、長手方向に沿って延び、前記設置面から離反するにつれて互いに近接する方向に傾斜する一対の傾斜面とを有し、
前記各傾斜面に、前記光拡散部が設けられ、
入射する光の一部を反射し、かつ一部を透過する光分離部をさらに含み、
前記棒状部材の内部であって、前記設置面に平行かつ前記長手方向に垂直な幅方向における中央部に、長手方向に沿って延びるように前記光分離部が設けられることを特徴とする額縁被覆部材。
【請求項２】
画像を表示可能な表示パネルと該表示パネルにおける画像の表示領域を外囲する額縁とを備える複数の画像表示装置を平面的に並べて構築されるマルチディスプレイ装置の前記額縁上に設置される額縁被覆部材であって、
透光性を有する棒状部材と、
前記棒状部材に設けられ、表示領域からの出射光を拡散透過および拡散反射する光拡散部とを含み、
前記棒状部材は、長手方向に沿って延び、前記額縁に臨んで配置される設置面と、長手方向に沿って延び、前記設置面から離反するにつれて互いに離反する方向に傾斜する一対の傾斜面と、長手方向に沿って延び、前記一対の傾斜面の前記設置面とは反対側の各端部に連なる上面とを有し、
前記各傾斜面および上面に、前記光拡散部が設けられることを特徴とする額縁被覆部材。
【請求項３】
入射する光の一部を反射し、かつ一部を透過する光分離部をさらに含み、
前記棒状部材の内部であって、前記設置面に平行かつ前記長手方向に垂直な幅方向における中央部に、長手方向に沿って延びるように前記光分離部が設けられることを特徴とする請求項２記載の額縁被覆部材。
【請求項４】
画像を表示可能な表示パネルと該表示パネルにおける画像の表示領域を外囲する額縁とを備える複数の画像表示装置を平面的に並べて構築されるマルチディスプレイ装置の前記額縁上に設置される額縁被覆部材であって、
透光性を有する棒状部材と、
前記棒状部材に設けられ、表示領域からの出射光を拡散透過および拡散反射する光拡散部とを含み、
前記棒状部材は、長手方向に沿って延び、前記額縁に臨んで配置される設置面を有し、
前記光拡散部は、前記棒状部材の内部であって、前記設置面に平行かつ前記長手方向に垂直な幅方向における中央部に、長手方向に沿って延びるように設けられることを特徴とする額縁被覆部材。
【請求項５】
前記棒状部材は、前記設置面の幅方向の各端部に連なり、前記設置面から離反するにつれて互いに近接する方向に傾斜する一対の傾斜面と、前記一対の傾斜面の前記設置面とは反対側の各端部に連なる上面とを有し、
前記棒状部材の内部に設けられた前記光拡散部は、前記幅方向に直交する仮想平面に平行に設けられていることを特徴とする請求項４記載の額縁被覆部材。
【請求項６】
前記棒状部材は、長手方向に沿って延びる複数の表面を有し、前記光拡散部は、該複数の表面のうちの少なくとも一表面にさらに設けられることを特徴とする請求項４または５記載の額縁被覆部材。
【請求項７】
入射する光の一部を反射し、かつ一部を透過する光分離部をさらに含み、
前記棒状部材は、長手方向に沿って延びる複数の表面を有し、該複数の表面のうち、表示領域からの出射光が入射する表面に、前記光分離部が設けられることを特徴とする請求項４または５記載の額縁被覆部材。
【請求項８】
前記設置面には、前記棒状部材に入射した光を反射する光反射面が設けられることを特徴とする請求項１〜７のいずれか１つに記載の額縁被覆部材。
【発明の詳細な説明】
【技術分野】
【０００１】
本発明は、マルチディスプレイ装置において画像を表示することができない額縁を目立たなくさせるための額縁被覆部材に関する。
【背景技術】
【０００２】
近年、インフォメーションディスプレイおよび業務用ディスプレイとして、画像を表示可能な表示パネルを備える複数の画像表示装置を、平面的に隙間なく並べて配置することによって構築されるマルチディスプレイ装置が用いられるようになっている。
【０００３】
マルチディスプレイ装置は、大型の画面を容易に構築することができる反面、各画像表示装置間の継目部分に、ベゼルとも称される額縁が配置されるため、画像を表示することができない領域（以下、「非表示領域」と称する）が形成されることになる。これにより、マルチディスプレイ装置で表示される大型の画面は、格子状の線が入ったように見えてしまい、表示される画像の品位が低下してしまうという問題がある。
【０００４】
このような問題を解決するための従来技術が、たとえば特許文献１，２に提案されている。特許文献１に記載される従来技術では、画像光を投影する複数の投影機と、各投影機から投影される画像光を平行光にする複数のフレネルレンズと、平行光にされた画像光の結像位置に設けられ、画像光を前方へ導く複数の導光体によって構成されるスクリーン部とを備え、各導光体において画像光入力端面に対して画像光出力端面が中心側に偏倚するように、各導光体を構成する光ファイバを湾曲させることにより、スクリーン部の前端面に、額縁の生じない統一画像表示面を形成したマルチディスプレイ装置が提案されている。
【０００５】
この特許文献１に記載される従来技術では、マルチディスプレイ装置を実現するための構成が複雑となるだけでなく、マルチディスプレイ装置を実現するために、画素数に相当する本数の光ファイバの束が必要となり、製造コストが高額になってしまうという問題がある。
【０００６】
また特許文献２に記載される従来技術では、各画像表示器の額縁上に補助表示器を設置し、１の画像を分割した画像を、その補助表示器に表示させるように構成された多画面表示装置が提案されている。
【０００７】
この特許文献２に記載される従来技術では、液晶カラー表示器、発光ダイオード等からなる補助表示器を別途用意して設置しなければならず、コストが増大し、また装置構成も複雑化してしまうという問題がある。
【先行技術文献】
【特許文献】
【０００８】
【特許文献１】特開２００４−１７７６３２号公報
【特許文献２】特開平３−３８９８２号公報
【発明の概要】
【発明が解決しようとする課題】
【０００９】
本発明の目的は、簡単な構成でかつ安価な製造コストで、マルチディスプレイ装置における額縁を目立たなくさせるための額縁被覆部材を提供することである。
【課題を解決するための手段】
【００１０】
本発明は、画像を表示可能な表示パネルと該表示パネルにおける画像の表示領域を外囲する額縁とを備える複数の画像表示装置を平面的に並べて構築されるマルチディスプレイ装置の前記額縁上に設置される額縁被覆部材であって、
透光性を有する棒状部材と、
前記棒状部材に設けられ、表示領域からの出射光を拡散透過および拡散反射する光拡散部とを含み、
前記棒状部材は、長手方向に沿って延び、前記額縁に臨んで配置される設置面と、長手方向に沿って延び、前記設置面から離反するにつれて互いに近接する方向に傾斜する一対の傾斜面とを有し、
前記各傾斜面に、前記光拡散部が設けられ、
入射する光の一部を反射し、かつ一部を透過する光分離部をさらに含み、
前記棒状部材の内部であって、前記設置面に平行かつ前記長手方向に垂直な幅方向における中央部に、長手方向に沿って延びるように前記光分離部が設けられることを特徴とする額縁被覆部材である。
【００１２】
また本発明は、画像を表示可能な表示パネルと該表示パネルにおける画像の表示領域を外囲する額縁とを備える複数の画像表示装置を平面的に並べて構築されるマルチディスプレイ装置の前記額縁上に設置される額縁被覆部材であって、
透光性を有する棒状部材と、
前記棒状部材に設けられ、表示領域からの出射光を拡散透過および拡散反射する光拡散部とを含み、
前記棒状部材は、長手方向に沿って延び、前記額縁に臨んで配置される設置面と、長手方向に沿って延び、前記設置面から離反するにつれて互いに離反する方向に傾斜する一対の傾斜面と、長手方向に沿って延び、前記一対の傾斜面の前記設置面とは反対側の各端部に連なる上面とを有し、
前記各傾斜面および上面に、前記光拡散部が設けられることを特徴とする額縁被覆部材である。
【００１３】
また本発明は、入射する光の一部を反射し、かつ一部を透過する光分離部をさらに含み、
前記棒状部材の内部であって、前記設置面に平行かつ前記長手方向に垂直な幅方向における中央部に、長手方向に沿って延びるように前記光分離部が設けられることを特徴とする。
【００１４】
また本発明は、画像を表示可能な表示パネルと該表示パネルにおける画像の表示領域を外囲する額縁とを備える複数の画像表示装置を平面的に並べて構築されるマルチディスプレイ装置の前記額縁上に設置される額縁被覆部材であって、
透光性を有する棒状部材と、
前記棒状部材に設けられ、表示領域からの出射光を拡散透過および拡散反射する光拡散部とを含み、
前記棒状部材は、長手方向に沿って延び、前記額縁に臨んで配置される設置面を有し、
前記光拡散部は、前記棒状部材の内部であって、前記設置面に平行かつ前記長手方向に垂直な幅方向における中央部に、長手方向に沿って延びるように設けられることを特徴とする。
【００１５】
また本発明は、前記棒状部材は、前記設置面の幅方向の各端部に連なり、前記設置面から離反するにつれて互いに近接する方向に傾斜する一対の傾斜面と、前記一対の傾斜面の前記設置面とは反対側の各端部に連なる上面とを有し、
前記棒状部材の内部に設けられた前記光拡散部は、前記幅方向に直交する仮想平面に平行に設けられていることを特徴とする。
【００１６】
また本発明は、前記棒状部材は、長手方向に沿って延びる複数の表面を有し、前記光拡散部は、該複数の表面のうちの少なくとも一表面にさらに設けられることを特徴とする。
【００１７】
また本発明は、入射する光の一部を反射し、かつ一部を透過する光分離部をさらに含み、
前記棒状部材は、長手方向に沿って延びる複数の表面を有し、該複数の表面のうち、表示領域からの出射光が入射する表面に、前記光分離部が設けられることを特徴とする。
【００１８】
また本発明は、前記設置面には、前記棒状部材に入射した光を反射する光反射面が設けられることを特徴とする。
【発明の効果】
【００１９】
本発明によれば、簡単な構成でかつ安価な製造コストで、マルチディスプレイ装置における額縁を目立たなくさせることができる。これにより、マルチディスプレイ装置に表示される画像の品位が低下してしまうことを防止することができる。
【図面の簡単な説明】
【００２０】
【図１】本発明の第１の実施形態に係る額縁被覆部材３０が設置された状態のマルチディスプレイ装置１を示す斜視図である。
【図２】図１の切断面線ＩＩ−ＩＩから見た断面図である。
【図３】額縁被覆部材３０が取り外された状態のマルチディスプレイ装置１の正面図である。
【図４】図２における額縁被覆部材３０付近を拡大して示す断面図である。
【図５】本実施形態に係る額縁被覆部材３０を一対のベゼル２１上に設置した状態を部分的に示す斜視図である。
【図６】マルチディスプレイ装置１に画像を表示させた状態を正面から見た図を示し、図６（ａ）は、額縁被覆部材３０が設置されていない状態のマルチディスプレイ装置１を示し、図６（ｂ）は、額縁被覆部材３０を設置した状態のマルチディスプレイ装置１を示している。
【図７】本発明の第２の実施形態に係る額縁被覆部材３０Ａを拡大して示す断面図である。
【図８】本発明の第３の実施形態に係る額縁被覆部材３０Ｂを拡大して示す断面図である。
【図９】本発明の第４の実施形態に係る額縁被覆部材３０Ｃを拡大して示す断面図である。
【図１０】本発明の第５の実施形態に係る額縁被覆部材３０Ｄを拡大して示す断面図である。
【発明を実施するための形態】
【００２１】
図１は、本発明の第１の実施形態に係る額縁被覆部材３０が設置された状態のマルチディスプレイ装置１を示す斜視図である。図２は、図１の切断面線ＩＩ−ＩＩから見た断面図である。図３は、額縁被覆部材３０が取り外された状態のマルチディスプレイ装置１の正面図である。
【００２２】
額縁被覆部材３０は、ベゼル２１の存在に起因してマルチディスプレイ装置１による大型の画面に露見してしまう格子状の線を目立たなくさせるために、ベゼル２１に対し、正面側から被覆するように設置される部材である。以下、マルチディスプレイ装置１について説明し、額縁被覆部材３０の詳細については、後述する。
【００２３】
マルチディスプレイ装置１は、画像情報に応じた画像を表示可能な表示パネル２０を備える複数の画像表示装置１０を、各表示パネル２０がマトリクス状に、または一方向に沿って平面的に並ぶように、互いに近接させて配置することによって構築される。各画像表示装置１０には、１つの画像を表示パネル２０の配置に応じて分割した分割画像の画像情報が与えられ、これにより、複数の表示パネル２０により構成される大型の画面に、前記１つの画像を表示させることができる。
【００２４】
本実施形態では、図１に示すように、４台の画像表示装置１０を縦横２×２のマトリクス状に並ぶように配置して構築されるマルチディスプレイ装置１を、額縁被覆部材３０の設置対象としているが、これに限らず、たとえば１６台の画像表示装置１０を、縦横４×４のマトリクス状に並ぶように配置して構築されるマルチディスプレイ装置であってもよく、３台の画像表示装置１０を、一方向に沿って並ぶように配置して構築されるマルチディスプレイ装置であってもよい。
【００２５】
また本実施形態では、画像表示装置１０は、非発光型の液晶パネルとバックライトとを備える液晶表示装置によって実現されているものとするが、これに限らず、自発光型の表示パネルであるプラズマディスプレイパネル（Plasma Display Panel）を備えるプラズマディスプレイ装置、または自発光型の表示パネルである有機ＥＬ（Electroluminescence）パネルを備える有機ＥＬディスプレイ装置などによって実現されてもよい。
【００２６】
画像表示装置１０は、図２に示すように、表示パネル２０と、ベゼル２１と、表示パネル２０の背面側に設けられるバックライトユニット２２と、表示パネル２０とバックライトユニット２２との間に設けられる複数の光学部材２３と、フレーム２４とを含んで構成される。
【００２７】
液晶パネルである表示パネル２０は、横長な矩形状に形成された一対の透光性を有するガラス製の基板と、その一対の基板間に、電界印加に伴って光学特性が変化する物質である液晶分子を封入することによって設けられた液晶層とを備え、液晶層の厚さ分のギャップを維持した状態で、一対の基板がシール剤によって貼り合わせられることによって構成されている。矩形状の表示パネル２０は、画像表示装置１０の画面サイズが６０インチの場合、短辺の寸法が７６０ｍｍ程度であり、長辺の寸法が１３４０ｍｍ程度である。
【００２８】
一対の基板のうち、一方の基板はＣＦ（Color Filter）基板であり、他方の基板はＴＦＴ（Thin Film Transistor）基板である。ＴＦＴ基板には、液晶層に臨む内面側に、スイッチング素子であるＴＦＴおよび画素電極が多数個並んで設けられるとともに、これらＴＦＴおよび画素電極の周りには、格子状をなすゲート配線およびソース配線が取り囲むようにして配設されている。画素電極は、ＩＴＯ（Indium Tin Oxide）またはＺｎＯ（Zinc Oxide）といった透明電極からなる。
【００２９】
一方、ＣＦ基板には、液晶層に臨む内面側に、各画素に対応した位置に多数個のカラーフィルタが並んで設けられている。カラーフィルタは、Ｒ（red），Ｇ（green），Ｂ（blue）の三色のサブピクセルが交互に並ぶ配置とされる。各カラーフィルタ間には、混色を防ぐための遮光層（ブラックマトリクス）が設けられている。カラーフィルタおよび遮光層の表面には、ＴＦＴ基板側の画素電極と対向する対向電極が設けられている。また、各基板の前記内面側には、液晶層に含まれる液晶分子を配向させるための配向膜がそれぞれ設けられ、各基板の内面側とは反対側の外面側には、偏光板がそれぞれ貼り付けられている。
【００３０】
額縁であるベゼル２１は、矩形枠状に形成され、矩形平板状の表示パネル２０の厚み方向一方側の面であって、画像が表示される側の面（以下、「表示面」と称する）２０ａにおける矩形枠状の周縁領域を覆うように組み付けられる。
【００３１】
以下、表示パネル２０の表示面２０ａにおいて、ベゼル２１に覆われずに、外部に露出している領域を、「表示領域」と称する。すなわち、各画像表示装置１０の表示領域Ｖ１に、前述の分割画像が表示される。
【００３２】
したがって、マルチディスプレイ装置１を正面（すなわち、表示面２０ａに対向する側）から見たとき、平面的に並んで配置される各表示領域Ｖ１によって挟まれる領域には、ベゼル２１の表面が露出し、画像を表示することができない。このように、マルチディスプレイ装置１を正面から見たとき、画像を表示することができない領域を、「非表示領域」と称する。
【００３３】
図３に示すように、非表示領域Ｖ２には、各表示領域Ｖ１によって挟まれる領域（以下、「第１非表示領域」と称する）Ｖ２１と、全ての表示領域Ｖ１および第１非表示領域Ｖ２１を外囲する矩形枠状の領域（以下、「第２非表示領域」と称する）Ｖ２２とが含まれるものとする。
【００３４】
バックライトユニット２２は、一方に開口した略箱型に形成されるバックライトシャーシ２２ａと、バックライトシャーシ２２ａに収容される光源２２ｂと、バックライトシャーシ２２ａ内に敷設される図示しない反射シートとを備える。
【００３５】
バックライトシャーシ２２ａは、金属製であり、表示パネル２０と同様の横長な矩形状に形成された底板と、該底板の周縁部から立ち上がる側板とによって、一方に開口した略箱型に形成されている。
【００３６】
光源２２ｂは、バックライトシャーシ２２ａにおける底板の内面に設置され、光を出射して、表示パネル２０を照明する。光源２２ｂは、たとえば複数のＬＥＤ（Light Emitting Diode）ランプを、底板の内面上にマトリクス状に配置することによって実現される。
【００３７】
反射シートは、光の反射性に優れた白色を呈するＰＥＴ（ポリエチレンテレフタレート）などの合成樹脂製であり、バックライトシャーシ２２ａにおける底板の内面、および側板に装着されるフレーム２４の内面を覆うように敷設される。この反射シートにより、光源２２ｂから出射した光の殆どを、バックライトシャーシ２２ａの開口側へ導くことができる。
【００３８】
光学部材２３は、光学シート２６と、拡散板２７とを含んで構成される。光学シート２６は、本実施形態では、２枚の光学シート２６ａおよび光学シート２６ｂによって構成される。光学シート２６は、表示画質を向上させるための種々の機能が付与された機能性樹脂シートから成る。たとえば、拡散板２７を介して背面側から到達した光の進行方向を、前面側に向ける機能を有する。
【００３９】
拡散板２７は、光源２２ｂから発せられた光を、面方向に拡散することによって、輝度が局所的に偏ることを防止する。拡散板２７では、輝度が面方向に偏ることを防ぐために、光の進行方向は、ベクトル成分として、面方向の成分を多く含む。これに対し光学シート２６は、面方向のベクトル成分を多く含む光の進行方向を、厚み方向の成分を多く含む光の進行方向に変換する。具体的には、光学シート２６は、レンズまたはプリズム状に形成される部分が面方向に多数並んで形成され、これによって、厚み方向に進行する光の拡散度を小さくする。
【００４０】
フレーム２４は、樹脂製であり、大略的に筒状であって、バックライトシャーシ２２ａにおける側板の内面を覆うような形状に形成されている。フレーム２４は、該側板に装着され、ビスなどの締結具によって、側板に対して固定される。
【００４１】
図４は、図２における額縁被覆部材３０付近を拡大して示す断面図であり、額縁被覆部材３０を除く残余の構成については仮想線で示している。以下、額縁被覆部材３０の構成について詳細に説明する。
【００４２】
額縁被覆部材３０は、長尺に形成される長尺部材であり、その長手方向Ｙと、表示領域Ｖ１間に配置される一対のベゼル２１の延びる方向とが一致するように、その一対のベゼル２１上に設置される。額縁被覆部材３０は、透光性を有する無色の棒状部材３１と、棒状部材３１に設けられる光拡散部４０とを含んで構成される。
【００４３】
棒状部材３１は、たとえばポリカーボネート樹脂、アクリル樹脂、ＡＢＳ（Acrylonitrile-Butadiene-Styrene）樹脂、ガラスなどの材料から成り、三角柱状、詳細には、長手方向Ｙに垂直な仮想一平面で切断したときの断面の形状が、二等辺三角形状となるように形成される。
【００４４】
棒状部材３１は、長手方向Ｙに沿って延びる３つの平坦な表面を有し、具体的には、前記断面における二等辺三角形の底辺に対応する表面（以下、「設置面」と称する）３２と、設置面３２から離反するにつれて互いに近接する方向に傾斜する一対の表面３３、つまり斜辺に対応する一対の表面（以下、「傾斜面」と称する）３３とを有する。
【００４５】
額縁被覆部材３０は、棒状部材３１における設置面３２が一対のベゼル２１に臨むように設置され、これにより、設置状態では、一対の傾斜面３３がそれぞれ、その一対のベゼル２１に隣接する各表示領域Ｖ１に臨むように配置される。
【００４６】
光拡散部４０は、本実施形態では、棒状部材３１における各傾斜面３３の表面全体に亘って設けられる。光拡散部４０は、光拡散部４０へ入射する光の一部を、拡散を生じて反射させるとともに、光拡散部４０へ入射する光の一部を、拡散を生じて透過させる機能を有する。
【００４７】
このような光拡散部４０は、たとえば、無色透明なバインダ樹脂に、アクリル樹脂などから成る無色透明な球状ポリマー粒子（拡散ビーズ）を分散させたものを、棒状部材３１における傾斜面３３に層状に塗布することによって設けることができる。また、他の方法として、棒状部材３１における傾斜面３３にブラスト加工を施すことによって設けてもよい。さらに他の方法としては、棒状部材３１の成型時に、傾斜面３３に相当する表面に微細な凹凸を賦形することによって設けてもよい。
【００４８】
本実施形態に係る額縁被覆部材３０には、棒状部材３１の内部を通って設置面３２に入射する光を高い反射率で反射するように、設置面３２の表面全体に亘って光反射面が設けられる。このような光反射面は、光の反射性に優れた白色を呈するＰＥＴなどの合成樹脂製シートを、設置面３２に貼着することによって、容易に設けることができる。
【００４９】
また、他の方法としては、アルミニウム、銀などを材料とする金属膜が積層された反射シートを、設置面３２に貼着することによって設けてもよく、アルミニウムなどの金属薄膜を真空蒸着することによって設けてもよい。さらに他の方法としては、光の反射性に優れた白色を呈する塗料を、設置面３２に塗装することによって設けてもよい。
【００５０】
額縁被覆部材３０は、設置面３２に平行で、長手方向Ｙに垂直な幅方向Ｘの寸法が、設置対象の一対のベゼル２１の幅寸法に略一致するように形成されるのが好ましい。設置対象の一対のベゼル２１は、たとえばそれぞれの幅寸法が２．４ｍｍと４．１ｍｍとに形成されている。また、額縁被覆部材３０は、傾斜面３３の設置面３２に対する傾斜角θが、たとえば４５°≦θ≦６０°を満足するように形成されるのが好ましい。
【００５１】
額縁被覆部材３０の設置は、たとえば接着シートなどを用いて、設置面３２をベゼル２１の表面に接着固定することにより行われる。また、他の方法として、取付片とその取付片に対して直角に屈曲する挿入片とを有するようなＬ字状の取付金具を用い、額縁被覆部材３０を、設置面３２と取付片とが当接した状態で、螺子などの締結具によって取付片に締結固定し、額縁被覆部材３０が締結固定された取付金具の挿入片を、隣接する一対のベゼル２１間に形成される隙間に挿入することで、該一対のベゼル２１に保持させるようにしてもよい。この場合、隣接する一対のベゼル２１によって額縁被覆部材３０を確実に保持させるために、挿入片に板ばね構造を設けておくのが好ましい。
【００５２】
図５は、本実施形態に係る額縁被覆部材３０を一対のベゼル２１上に設置した状態を部分的に示す斜視図であり、画像表示装置１０については簡略化して示している。マルチディスプレイ装置１を稼動させることにより各表示領域Ｖ１に画像が表示されると、一対のベゼル２１に近接する各縁領域Ｖ１１から表示画像に応じて出射される出射光のうち、一部の出射光Ａ１が、その縁領域Ｖ１１に臨む各傾斜面３３にそれぞれ入射する。
【００５３】
一方の傾斜面３３に入射する出射光Ａ１のうち、一部の光は、一方の傾斜面３３に設けられている光拡散部４０によって、拡散を生じて反射し、一部の光は、拡散を生じて透過する。光拡散部４０を透過した光は、棒状部材３１の内部へ入射し、その大半が、直接、あるいは設置面３２における反射を介して、他方の傾斜面３３へ導かれ、他方の傾斜面３３に設けられている光拡散部４０によって、一部の光は拡散を生じて反射し、一部の光は拡散を生じて透過する。他方の傾斜面３３に入射した出射光Ａ１についても同様に振舞う。
【００５４】
これにより、傾斜面３３からは、一方の縁領域Ｖ１１から出射する出射光Ａ１のうち、当該傾斜面３３に設けられている光拡散部４０で拡散反射した拡散反射光と、他方の縁領域Ｖ１１から出射する出射光Ａ１のうち、棒状部材３１の内部へ入射し、その光拡散部４０を拡散透過した拡散透過光とが混じった光が、マルチディスプレイ装置１の正面側へ放射される。
【００５５】
図６は、マルチディスプレイ装置１に画像を表示させた状態を正面から見た図を示し、図６（ａ）は、額縁被覆部材３０が設置されていない状態のマルチディスプレイ装置１を示し、図６（ｂ）は、額縁被覆部材３０を設置した状態のマルチディスプレイ装置１を示している。
【００５６】
図６（ａ）に示すように、額縁被覆部材３０が設置されていない場合には、第１非表示領域Ｖ２１に配置されるベゼル２１に起因して、大型の画面に十字状の線が視認され、マルチディスプレイ装置１に表示される画像の品位が低下してしまう。
【００５７】
これに対し、本実施形態に係る額縁被覆部材３０を設置すると、額縁被覆部材３０の各傾斜面３３からは、縁領域Ｖ１１に表示される画像に応じた光が、正面側へ向けて放射される。これにより、図６（ｂ）に示すように、ベゼル２１を目立たなくさせることができる。したがって、各表示領域Ｖ１に表示される画像の一体感が増し、マルチディスプレイ装置１に表示される画像の品位の低下を防止することができる。
【００５８】
また、本実施形態によれば、各傾斜面３３からは、一方の縁領域Ｖ１１から出射する出射光Ａ１に由来する拡散反射光と、他方の縁領域Ｖ１１から出射する出射光Ａ１に由来する拡散透過光とが混合した光が放射されるので、一方の縁領域Ｖ１１と他方の縁領域Ｖ１１とにおいて、表示内容が全く異なる画像、つまり表示される色が大きく相違するような画像が表示されるような場合であっても、違和感を感じさせることなく、ベゼル２１を目立たなくさせることができる。
【００５９】
また、本実施形態に係る額縁被覆部材３０は、設置面３２に光反射面が設けられているので、棒状部材３１の内部へ入射した光が、設置面３２を通過してベゼル２１に吸収されてしまうことを防止することができる。これにより、各傾斜面３３から放射される光の光量が低下してしまうことを防止することができる。
【００６０】
上記の実施形態では、額縁被覆部材３０は、第１非表示領域Ｖ２１に配置される一対のベゼル２１に起因する十字状の線を目立たなくさせるために、一対のベゼル２１上に設置されている。しかしながら、これに限らず、第２非表示領域Ｖ２２に配置されるベゼル２１による線を目立たなくさせるために、第２非表示領域Ｖ２２に配置されるベゼル２１上に設置してもよい。この場合には、額縁被覆部材３０を、その幅方向Ｘに垂直な仮想一平面によって二等分に切断した分割体を用いることができる。
【００６１】
図７は、本発明の第２の実施形態に係る額縁被覆部材３０Ａを拡大して示す断面図である。図７では、マルチディスプレイ装置１への設置状態を示し、額縁被覆部材３０Ａを除く残余の構成については仮想線で示している。
【００６２】
本実施形態に係る額縁被覆部材３０Ａは、光分離部５０をさらに備えて構成されている点を除き、残余の構成については、第１の実施形態に係る額縁被覆部材３０と同一に構成されている。そこで、第１の実施形態に係る額縁被覆部材３０に対応する部分についてはそれぞれ同一の参照符を付し、重複する説明を省略する。
【００６３】
光分離部５０は、光分離部５０に入射する光の一部を反射し、光分離部５０に入射する光の一部を透過する機能を有する。光分離部５０は、本実施形態では、棒状部材３１の内部であって、幅方向Ｘにおける中央部に、長手方向に沿って延びるように設けられている。
【００６４】
光分離部５０は、詳細には、棒状部材３１を、幅方向Ｘに垂直な仮想一平面によって二等分に切断し、分割された一対の分割体のうちの、一方の分割体における切断面の表面全体に、誘電体多層膜または金属薄膜をコーティングすることによって設けられる。光分離部５０は、反射率および透過率を適宜選択して設けることができる。
【００６５】
額縁被覆部材３０Ａは、光分離部５０が設けられた一方の分割体と他方の分割体とを、それらの切断面同士を無色透明の紫外線（ＵＶ）硬化型接着剤を用いて接合し、接合により一体化された棒状部材３１の各傾斜面３３に、光拡散部４０を設けることによって得られる。
【００６６】
本実施形態に係る額縁被覆部材３０Ａを一対のベゼル２１上に設置して、マルチディスプレイ装置１を稼動すると、一方の傾斜面３３に入射する出射光Ａ１のうち、一部の光は、一方の傾斜面３３に設けられている光拡散部４０によって、拡散を生じて反射し、一部の光は、拡散を生じて透過する。
【００６７】
光拡散部４０を透過した光は、棒状部材３１の内部へ入射して光分離部５０へ導かれ、光分離部５０によって、一部の光が反射し、一部の光が透過する。このとき、光分離部５０の反射率および透過率に応じて、反射および透過が行われる。そして、光分離部５０を透過した光は、その大半が他方の傾斜面３３へ導かれ、他方の傾斜面３３に設けられている光拡散部４０によって、一部の光は拡散を生じて反射し、一部の光は拡散を生じて透過する。他方の傾斜面３３に入射する出射光Ａ１についても同様に振舞う。
【００６８】
これにより、傾斜面３３からは、一方の縁領域Ｖ１１から出射する出射光Ａ１のうち、当該傾斜面３３に設けられている光拡散部４０で拡散反射した拡散反射光と、他方の縁領域Ｖ１１から出射する出射光Ａ１のうち、棒状部材３１の内部へ入射して光分離部５０を透過し、その光拡散部４０を拡散透過した拡散透過光とが混じった光が、マルチディスプレイ装置１の正面側へ放射される。
【００６９】
したがって、本実施形態によれば、光分離部５０における透過率および反射率を適宜選択することにより、各傾斜面３３から放射される光について、一方の縁領域Ｖ１１から出射する出射光Ａ１に由来する拡散反射光と、他方の縁領域Ｖ１１から出射する出射光Ａ１に由来する拡散透過光との混合比率を調整することができる。
【００７０】
たとえばマルチディスプレイ装置１をインフォメーションディスプレイとして用いる場合、大型の画面に表示される映像が予め分かっている場合がある。このような場合に、表示される映像に応じて、透過率および反射率を適宜選択して設けられた光分離部５０を有する額縁被覆部材３０Ａを設置することにより、各表示領域Ｖ１に表示される画像の一体感をより増加させ、マルチディスプレイ装置１に表示される画像の品位の低下を防止することができる。
【００７１】
図８は、本発明の第３の実施形態に係る額縁被覆部材３０Ｂを拡大して示す断面図である。図８では、マルチディスプレイ装置１への設置状態を示し、額縁被覆部材３０Ｂを除く残余の構成については仮想線で示している。
【００７２】
本実施形態に係る額縁被覆部材３０Ｂは、第１の実施形態に係る額縁被覆部材３０とは形状が異なるように形成されている。第１の実施形態に係る額縁被覆部材３０と対応する部分についてはそれぞれ同一の参照符を付し、重複する説明を省略する。
【００７３】
額縁被覆部材３０Ｂは、透光性を有する無色の棒状部材３１Ｂと、棒状部材３１Ｂに設けられる光拡散部４０とを含んで構成される。棒状部材３１Ｂは、長手方向Ｙに沿って延びる柱状部材であり、長手方向Ｙに垂直な仮想一平面で切断したときの断面が台形となるように形成されている。
【００７４】
棒状部材３１Ｂは、より詳細には、互いに平行な２つの表面に沿う方向のうち、長手方向Ｙに垂直な幅方向Ｘにおける中央部を通り、幅方向Ｘに垂直な仮想一平面に関して面対称となるように形成されている。
【００７５】
棒状部材３１Ｂは、長手方向Ｙに沿って延びる４つの平坦な表面を有し、具体的には、前記断面において、平行に延びる２辺のうちの短い方の辺に対応する表面（以下、「設置面」と称する）３２と、長い方の辺に対応する表面（以下、「上面」と称する）３４と、設置面３２から離反するにつれて互いに離反する方向に傾斜する一対の表面３３Ｂ、つまり斜辺に対応する一対の表面（以下、「傾斜面」と称する）３３Ｂとを有する。
【００７６】
額縁被覆部材３０Ｂは、棒状部材３１Ｂにおける設置面３２が一対のベゼル２１に臨むように、すなわち逆台形となる態様で一対のベゼル２１上に設置される。これにより、設置状態では、一対の傾斜面３３Ｂがそれぞれ、その一対のベゼル２１に隣接する各表示領域Ｖ１に臨むように配置される。
【００７７】
光拡散部４０は、本実施形態では、棒状部材３１Ｂにおける各傾斜面３３Ｂおよび上面３４の表面全体に亘って設けられる。また、設置面３２には、その表面全体に亘って光反射面が設けられる。
【００７８】
額縁被覆部材３０Ｂは、上面３４の幅方向Ｘの寸法が、設置対象の一対のベゼル２１の幅寸法に略一致するように形成されるのが好ましい。また、額縁被覆部材３０Ｂは、傾斜面３３Ｂの設置面３２に対する傾斜角αが、６０°程度となるように形成されるのが好ましい。
【００７９】
本実施形態に係る額縁被覆部材３０Ｂを一対のベゼル２１上に設置して、マルチディスプレイ装置１を稼動すると、一方の傾斜面３３Ｂに入射する出射光Ａ１のうち、一部の光は、一方の傾斜面３３Ｂに設けられている光拡散部４０によって、拡散を生じて反射し、一部の光は、拡散を生じて透過する。
【００８０】
光拡散部４０を透過した光は、棒状部材３１の内部へ入射して、その大半が、直接、あるいは設置面３２で反射した後、上面３４へ導かれ、上面３４に設けられている光拡散部４０によって、一部の光は拡散を生じて反射し、一部の光は拡散を生じて透過する。他方の傾斜面３３Ｂに入射する出射光Ａ１についても同様に振舞う。
【００８１】
これにより、上面３４からは、一方の縁領域Ｖ１１から出射する出射光Ａ１のうち、棒状部材３１の内部へ入射し、上面３４に設けられている光拡散部４０を拡散透過した拡散透過光と、他方の縁領域Ｖ１１から出射する出射光Ａ１のうち、棒状部材３１の内部へ入射し、上面３４に設けられている光拡散部４０を拡散透過した拡散透過光とが混じった光が、マルチディスプレイ装置１の正面側へ放射される。
【００８２】
このように、本実施形態に係る額縁被覆部材３０Ｂを設置すると、上面３４からは、一方の縁領域Ｖ１１から出射する出射光Ａ１に由来する拡散透過光と、他方の縁領域Ｖ１１から出射する出射光Ａ１に由来する拡散透過光とが混合した光が放射されるので、一方の縁領域Ｖ１１と他方の縁領域Ｖ１１とにおいて、表示内容が全く異なる画像、つまり表示される色が大きく相違するような画像が表示されるような場合であっても、違和感を感じさせることなく、ベゼル２１を目立たなくさせることができる。
【００８３】
また、本実施形態によれば、各傾斜面３３Ｂが設置面３２に対して６０°程度傾斜して形成されているので、棒状部材３１Ｂの内部へ入射した光を、効果的に上面３４へ導くことができる。これにより、上面３４から放射される光の光量が低下してしまうことを防止することができる。
【００８４】
他の実施形態では、第２の実施形態のように、棒状部材３１Ｂの内部に光分離部５０をさらに設けてもよい。
【００８５】
図９は、本発明の第４の実施形態に係る額縁被覆部材３０Ｃを拡大して示す断面図である。図９では、マルチディスプレイ装置１への設置状態を示し、額縁被覆部材３０Ｃを除く残余の構成については仮想線で示している。
【００８６】
本実施形態に係る額縁被覆部材３０Ｃは、光拡散部４０が、傾斜面３３ではなく、棒状部材３１の内部に設けられている。残余の構成については、第１の実施形態に係る額縁被覆部材３０と同一に構成されているので、対応する部分についてはそれぞれ同一の参照符を付し、重複する説明を省略する。
【００８７】
光拡散部４０は、本実施形態では、棒状部材３１を、幅方向Ｘに垂直な仮想一平面によって二等分に切断し、分割された一対の分割体のうちの、一方の分割体における切断面の表面全体に設けられる。
【００８８】
額縁被覆部材３０Ｃは、光拡散部４０が設けられた一方の分割体と他方の分割体とを、それらの切断面同士を無色透明の紫外線（ＵＶ）硬化型接着剤を用いて接合することによって構成される。
【００８９】
本実施形態に係る額縁被覆部材３０Ｃを一対のベゼル２１上に設置して、マルチディスプレイ装置１を稼動すると、一方の傾斜面３３に入射する出射光Ａ１の大半は、棒状部材３１の内部へ入射し、内部に設けられている光拡散部４０によって、一部の光は、拡散を生じて反射し、一部の光は、拡散を生じて透過する。光拡散部４０を透過した光は、他方の傾斜面３３に導かれ、その一部が該他方の傾斜面３３から出射される。他方の傾斜面３３に入射する出射光Ａ１についても同様に振舞う。
【００９０】
これにより、傾斜面３３からは、一方の縁領域Ｖ１１から出射する出射光Ａ１のうち、内部に設けられている光拡散部４０で拡散反射した拡散反射光と、他方の縁領域Ｖ１１から出射する出射光Ａ１のうち、内部に設けられている光拡散部４０を拡散透過した拡散透過光とが混じった光が、マルチディスプレイ装置１の正面側へ放射される。
【００９１】
このように、本実施形態に係る額縁被覆部材３０Ｃを設置すると、各傾斜面３３からは、一方の縁領域Ｖ１１から出射する出射光Ａ１に由来する拡散反射光と、他方の縁領域Ｖ１１から出射する出射光Ａ１に由来する拡散透過光とが混合した光が放射されるので、一方の縁領域Ｖ１１と他方の縁領域Ｖ１１とにおいて、表示内容が全く異なる画像、つまり表示される色が大きく相違するような画像が表示されるような場合であっても、違和感を感じさせることなく、ベゼル２１を目立たなくさせることができる。
【００９２】
また、本実施形態によれば、各傾斜面３３に光拡散部４０が設けられていないので、縁領域Ｖ１１から出射される出射光Ａ１以外の光、たとえばマルチディスプレイ装置１の周辺に備えられる照明装置の光源から出射される光の、額縁被覆部材３０Ｃへの写り込みを軽減することができる。
【００９３】
他の実施形態では、各傾斜面３３に対し、光拡散部４０をさらに設けることによって構成されてもよく、または、各傾斜面３３に対し、光分離部５０をさらに設けることによって構成されてもよい。
【００９４】
図１０は、本発明の第５の実施形態に係る額縁被覆部材３０Ｄを拡大して示す断面図である。図１０では、マルチディスプレイ装置１への設置状態を示し、額縁被覆部材３０Ｄを除く残余の構成については仮想線で示している。
【００９５】
本実施形態に係る額縁被覆部材３０Ｄは、第４の実施形態に係る額縁被覆部材３０Ｃにおける、各傾斜面３３により形成される稜線を含む頂部を、設置面３２に平行な仮想一平面で切除することにより形成され、これにより、設置面３２に平行な上面３５が設けられ、長手方向Ｙに垂直な仮想一平面で切断したときの断面が台形となる柱状に形成されている。第４の実施形態に係る額縁被覆部材３０Ｃと対応する部分についてはそれぞれ同一の参照符を付し、重複する説明を省略する。
【００９６】
本実施形態によれば、第４の実施形態により得られる効果に加えて、一対のベゼル２１上に設置される額縁被覆部材３０Ｄの高さ方向Ｚの寸法を低減することができる。これにより、マルチディスプレイ装置１を、正面からではなく斜めから見る人に対して、視認性を高めることができる。
【００９７】
他の実施形態では、各傾斜面３３および／または上面３５に対し、光拡散部４０をさらに設けることによって構成されてもよく、または、各傾斜面３３に対し、光分離部５０をさらに設けることによって構成されてもよい。
【符号の説明】
【００９８】
１  マルチディスプレイ装置
１０  画像表示装置
２０  表示パネル
２０ａ  表示面
２１  ベゼル
３０  額縁被覆部材
３１  棒状部材
３２  設置面
３３  傾斜面
４０  光拡散部
５０  光分離部
Ｖ１  表示領域
Ｖ１１  縁領域
Ｖ２  非表示領域
Ｖ２１  第１非表示領域
Ｖ２２  第２非表示領域
【図１】
0005604342.tif 000002
【図２】
0005604342.tif 000003
【図３】
0005604342.tif 000004
【図４】
0005604342.tif 000005
【図５】
0005604342.tif 000006
【図６】
0005604342.tif 000007
【図７】
0005604342.tif 000008
【図８】
0005604342.tif 000009
【図９】
0005604342.tif 000010
【図１０】
0005604342.tif 000011